(57)【要約】【課題】デジタルデータの読み出しに起こる外乱を完全に無くすことで、サーボ駆動制御に伴う駆動電流によるノイズの影響を完全に無くすことができると共に、電源がＤ/Ａ変換手段のみの負荷に対応できることにより、デジタルによる影響を完全に無くすことができ、再生信号のさらなる高品質化を実現する。【解決手段】デジタルデータ読込処理部１０１により光ディスクから読み出されたデジタル音声データのメモリ部１０８への書き込みが終了した後に、デジタルデータ読込処理部１０１の電源電圧を遮断してから、Ｄ/Ａ変換処理部１０２の動作を開始することで、サーボ駆動制御に伴う駆動電流によるノイズの影響を完全に無くすことができる。また、Ｄ/Ａ変換部１０６のみに負荷がかかる電源装置１１２によって、デジタル処理部１０４からの電源ノイズなどの音質低下を完全に防ぐ。【選択図】図１
2012133855.tif 000002
【特許請求の範囲】
【請求項１】
第１の電源電圧印加時に動作して記録媒体に記録されているデジタルデータを読み出す機構を備え、前記第１の電源電圧遮断時は動作を停止するデジタルデータ読込処理手段と、
前記デジタルデータ読込処理手段により前記記録媒体から読み出された前記デジタルデータを第２の電源電圧印加時に記憶する記憶手段と、
前記記憶手段に電気的に絶縁された状態で接続されており、第３の電源電圧印加時に動作して前記記憶手段から読み出された前記デジタルデータをアナログ信号に変換して再生信号として出力するＤ／Ａ変換手段と、
前記デジタルデータ読込処理手段により前記記録媒体から読み出された前記デジタルデータの前記記憶手段への記憶終了後に、前記第１の電源電圧の前記デジタルデータ読込処理手段への印加を遮断すると共に、前記第３の電源電圧が印加される前記Ｄ／Ａ変換手段により前記アナログ信号の変換動作を行わせる電源電圧選択出力手段と、
前記第２の電源電圧を発生する充電可能な電源装置と、
前記第２の電源電圧印加時に動作して前記電源装置の電圧が規定電圧であるか否かを監視し、前記電源装置の電圧が規定電圧に達していないと判定した時は、前記第３の電源電圧を用いて前記電源装置を満充電となるよう充電する監視及び充電手段と
を有することを特徴とするデジタル再生装置。
【発明の詳細な説明】
【技術分野】
【０００１】
本発明はデジタル再生装置に係り、特に記録媒体から読み取り装置によってデジタルデータを読みだして再生するデジタル再生装置に関する。
【背景技術】
【０００２】
現在、映像・音声メディアには、ディスク状記録媒体や半導体メモリなどの記録媒体が用いられ、デジタル値に変換されたデジタルコンテンツが記録再生可能とされている。特に、オーディオデジタルコンテンツの記録再生可能な記録媒体として、ＣＤ(Compact Disc)、ＭＤ(Mini Disc)、ＤＶＤ(Digital Versatile Disc)、及びＢＤ(Blu-ray Disc)などの光ディスクがある。一般的に、これら光ディスクの記録情報を再生するデジタル再生装置は、光ディスクをスピンドルモータによって所定の速度で回転させつつ、サーボ駆動装置により的確に光学ピックアップを光ディスクの記録トラックを追従走査させて記録デジタルデータを読み取る方法をとっている。
【０００３】
しかし、デジタル再生装置にはアンプやスピーカが接続されており、このスピーカが出す音すなわち音圧が振動として伝わり、デジタル再生装置に影響を与える。特に、光学系のサーボ駆動制御に音圧の振動が外乱として影響を与える。従来のデジタル再生装置では、この外乱を抑えるために微妙な多くの制御が行われ、それに伴いサーボ駆動制御を行うため駆動電流による変動や、デジタル回路内のマイクロコンピュータや信号処理ＬＳＩ(Large Scale Integrated circuit)等からの高周波ノイズにより、電源ラインにノイズとして影響し、このノイズがＤ/Ａ変換回路など、その他の回路にもまわる事で音質に影響を与えてしまう。これらの要因によって、従来のデジタル再生装置では、光ディスクに記録されたオーディオデジタルコンテンツが高音質でデジタル化された音声情報だとしても、デジタルからアナログに変換される際に、音質を低下させてしまう。
【０００４】
このような、デジタル処理部による影響を解決するため、特許文献１に記載されているような再生処理部とアナログ処理部を分離するデジタル再生装置や、特許文献２に記載されているような電源部を分けるような方法でノイズなどの影響を減らすデジタル再生装置が知られている。
【先行技術文献】
【特許文献】
【０００５】
【特許文献１】特開２００１−３１９４２５号公報
【特許文献２】特開昭６３−１９０５１８号公報
【発明の概要】
【発明が解決しようとする課題】
【０００６】
しかしながら、特許文献１に記載の従来のデジタル再生装置では、特に同一基板内や同じユニット内に再生処理部とアナログ処理部が存在する場合、切替スイッチによって再生処理部とアナログ処理部の信号ラインのオンオフとそれぞれの処理部を制御し、片方のみの動作を実施し音質低下を防ごうとしているが、基本的には電源ラインは同一であり切られていないため、影響は小さいものの再生処理部による待機電力による影響が少なからず存在する。
【０００７】
また、特許文献２に記載の従来のデジタル再生装置では、再生処理部とアナログ処理部に別々の電源を設け、さらに片方の電源に２次電池を利用することで完全に電源を分離する事で電源ラインのノイズが与える影響を除去しているが、この場合、スピーカが出す音圧による振動の影響は防ぐことができず音質の低下につながる。
【０００８】
本発明は以上の点に鑑みなされたもので、デジタルデータの読み出しに起こる外乱を完全に無くすことで、サーボ駆動制御に伴う駆動電流によるノイズの影響を完全に無くすことができると共に、電源がＤ/Ａ変換手段のみの負荷に対応できることにより、デジタルによる影響を完全に無くすことができ、再生信号のさらなる高品質化を実現できるデジタル再生装置を提供することを目的とする。
【課題を解決するための手段】
【０００９】
上記目的を達成するため、本発明は、第１の電源電圧印加時に動作して記録媒体に記録されているデジタルデータを読み出す機構を備え、第１の電源電圧遮断時は動作を停止するデジタルデータ読込処理手段と、デジタルデータ読込処理手段により記録媒体から読み出されたデジタルデータを第２の電源電圧印加時に記憶する記憶手段と、記憶手段に電気的に絶縁された状態で接続されており、第３の電源電圧印加時に動作して記憶手段から読み出されたデジタルデータをアナログ信号に変換して再生信号として出力するＤ／Ａ変換手段と、デジタルデータ読込処理手段により記録媒体から読み出されたデジタルデータの記憶手段への記憶終了後に、第１の電源電圧のデジタルデータ読込処理手段への印加を遮断すると共に、第３の電源電圧が印加されるＤ／Ａ変換手段によりアナログ信号の変換動作を行わせる電源電圧選択出力手段と、第２の電源電圧を発生する充電可能な電源装置と、第２の電源電圧印加時に動作して電源装置の電圧が規定電圧であるか否かを監視し、電源装置の電圧が規定電圧に達していないと判定した時は、第３の電源電圧を用いて電源装置を満充電となるよう充電する監視及び充電手段とを有することを特徴とする。
【発明の効果】
【００１０】
本発明によれば、デジタルデータの読み出しに起こる外乱を完全に無くすことで、サーボ駆動制御に伴う駆動電流によるノイズの影響を完全に無くすことができると共に、電源がＤ/Ａ変換手段のみの負荷に対応できることにより、デジタル処理による影響を完全に無くすことができ、再生信号のさらなる高品質化を実現できる。
【図面の簡単な説明】
【００１１】
【図１】本発明のデジタル再生装置の第１の実施の形態のブロック図である。
【図２】本発明のデジタル再生装置におけるデジタルデータ読込処理部の一例の構成図である。
【図３】図１のデジタル再生装置の動作説明用フローチャートである。
【図４】図１のデジタル再生装置のデジタル処理部内の電源装置における充電動作の一例を説明するフローチャートである。
【図５】本発明のデジタル再生装置の第２の実施の形態のブロック図である。
【図６】本発明のデジタル再生装置の第３の実施の形態のブロック図である。
【発明を実施するための形態】
【００１２】
次に、本発明の各実施の形態について図面を参照して説明する。
【００１３】
（第１の実施の形態）
図１は、本発明になるデジタル再生装置の第１の実施の形態のブロック図を示す。同図において、本実施の形態のデジタル再生装置１００は、オーディオ信号を再生する装置であって、デジタルデータ読込処理部１０１、Ｄ／Ａ変換処理部１０２、電源装置１１２、電源制御回路１１３、及びスピーカ１１４からなり、スピーカ１１４以外は一つの筐体１３０内に設けられている。デジタルデータ読込処理部１０１とＤ／Ａ変換処理部１０２とは、フォトカプラなどのアイソレータ１０３−１及び１０３−２によって電気的に絶縁された状態で接続されており、それらの間を伝送する信号は光や磁気によって電気的に分離されている。
【００１４】
Ｄ/Ａ変換処理部１０２は、デジタル処理部１０４、電源制御回路１０５及びＤ／Ａ変換部１０６から構成されている。デジタル処理部１０４は、Ｄ／Ａ変換部１０６及び電源制御回路１０５と、アイソレータ１０３−３、１０３−４及び１０３−５によって電気的に絶縁された状態で接続されている。デジタル処理部１０４は、システム制御部１０７、デジタルデータ読込処理部１０１からのデジタルデータを蓄える記憶手段であるメモリ部１０８、電源監視回路１０９及びデジタル処理部１０４の電源装置（２次電池）１１０を有する。すなわち、デジタル処理部１０４は、Ｄ/Ａ変換処理部１０２内のＤ/Ａ変換部１０６の電源装置１１２とは独立している電源装置（２次電池）１１０を有している。システム制御部１０７及び電源制御回路１１３は、Ｄ／Ａ変換部１０６が動作するときにはデジタルデータ読込処理部１０１の電源電圧を遮断する本発明の電源電圧選択出力手段を構成している。また、システム制御部１０７と電源制御回路１１３とは、アイソレータ１０３−６によって電気的に絶縁された状態で接続されている。
【００１５】
電源制御回路１０５は、システム制御部１０７からの制御信号により電源装置１１２からの電源電圧をデジタル処理部１０４に供給したり、遮断したりする。電源監視回路１０９は、電源装置１１０の電源電圧を監視する。電源装置１１２は、コンセント（図示せず）に差し込まれたプラグ１１１から商用交流電源電圧が入力される。
【００１６】
デジタルデータ読込処理部１０１は、光ディスク（例えば、ＣＤ）にレーザ光を照射させ、戻り光に含まれるＣＤに記録されている情報をデジタル情報として再生する機能を有するプレイヤーである。デジタルデータ読込処理部１０１は、システム制御部１０７からアイソレータ１０３−２によって、伝送される制御信号により制御されている。
【００１７】
図２は、デジタルデータ読込処理部１０１の一例の構成図を示す。同図に示すように、デジタルデータ読込処理部１０１は、スピンドルモータ２０１、サーボ回路２０２、制御用マイクロコンピュータ（以下、マイコン）２０３、光学ピックアップ２０４、ＲＦアンプ２０５、及び信号処理回路２０６を有する。スピンドルモータ２０１には、制御用マイコン２０３からの制御信号に応じた駆動信号がサーボ回路２０２から供給される。スピンドルモータ２０１は、駆動信号に応じてＣＤ２０７を高速回転させている。
【００１８】
なお、デジタルデータ読込処理部１０１における再生は、光ディスクに限定されるものではなく、構造が異なるディジタルオーディオテープレコーダやハードディスクなど、スピンドルモータのような駆動系の回路を備えている、デジタル再生装置からのデジタルデータの再生でもよい。
【００１９】
回転しているＣＤ２０７から光学ピックアップ２０４によって読み出された信号は、ＲＦアンプ２０５によって増幅された後、信号処理回路２０６で信号処理される。信号処理回路２０６においては、ドロップアウトにより生じたエラーの訂正や補正を行い、また再生信号の時間的変動を同期信号によって吸収整形する。信号処理されたデジタル信号（ここでは、デジタル音声データ）は、図１に示すアイソレータ１０３−１を通してＤ/Ａ変換処理部１０２に送られる。アイソレータ１０３−１は、デジタルデータ読込処理部１０１とＤ/Ａ変換処理部１０２とを電気的に絶縁しつつデジタル信号をメモリ部１０８へ伝送する。メモリ部１０８は入力されたデジタル音声データを一時蓄積する。Ｄ／Ａ変換部１０６は、メモリ部１０８からのデジタル音声データをアナログ信号である音声信号に変換し、内部のアンプ又は外部アンプなどを通してスピーカ１１４に供給し、ここで電気−音響変換させて音声として出力させる。
【００２０】
次に、デジタル再生装置１００の動作手順について図３のフローチャートと共に説明する。まず、コンセント（図示せず）に差し込まれた電源プラグ１１１から商用交流電源が供給され（ステップＡ１）、電源装置１１２に電源が入る（ステップＡ２）。この状態で電源制御回路１１３の電源ＳＷがオン（ＯＮ）されると（ステップＡ３）、デジタルデータ読込処理部１０１の本体のリセットが実行される（ステップＡ４）。
【００２１】
続いて、システム制御部１０７からの制御信号１２０により、デジタルデータ読込処理部１０１の動作が開始し（ステップＡ５）、Ｄ/Ａ変換処理部１０２に備えられているメモリ部１０８がリセットされ（ステップＡ６）、ＣＤ２０７から読み出されるデジタル音声データのメモリ部１０８への書き込み（コピー）が開始される（ステップＡ７）。そして、ＣＤ２０７に記録されているデジタル音声データのメモリ部１０８への転送が終わると（ステップＡ８）、システム制御部１０７からの電源制御信号１２１により、電源制御回路１１３の電源ＳＷがオフ（ＯＦＦ）とされる（ステップＡ９）。これにより、デジタルデータ読込処理部１０１は動作を完全に停止する。
【００２２】
次に、Ｄ/Ａ変換処理部１０２が動作を開始し（ステップＡ１０）、メモリ部１０８に蓄えられたデジタル音声データの読み出しが開始され（ステップＡ１１）、その読み出されたデジタル音声データがＤ/Ａ変換部１０６によりアナログ音声信号に変換されてスピーカ１１４より音声出力される再生が行われる（ステップＡ１２）。その後、任意のタイミングでユーザによる再生終了操作や、再生データの終了などにより、メモリアクセスの終了操作信号が入力されると（ステップＡ１３）、上記の再生動作が停止され（ステップＡ１４）、アナログ再生が終了する（ステップＡ１５）。
【００２３】
このように、本実施の形態では、デジタルデータ読込処理部１０１からＣＤ２０７の記録デジタル音声データが読み出されてＤ/Ａ変換処理部１０２内のデジタル処理部１０４のメモリ部１０８への書き込みが終了した後に、デジタルデータ読込処理部１０１に接続されている電源制御回路１１３の電源スイッチを切ることにより（ステップＡ８、Ａ９）、デジタルデータ読込処理部１０１の影響（すなわち、デジタルデータの読み出しに起こる外乱）を完全に無くしてから、Ｄ/Ａ変換処理部１０２の動作を開始する（ステップＡ１０）ようにしたため、サーボ駆動制御に伴う駆動電流によるノイズの影響を完全に無くすことができる。
【００２４】
次に、デジタル処理部１０４内の電源装置１１０の充電動作の一例について図４のフローチャートと共に説明する。この図４のフローチャートは図３のステップＡ４のリセット直後など所定のタイミングで起動される。
【００２５】
システム制御部１０７は、デジタル再生装置１００の全体（以下、本体という）が起動中であるかどうかを電源制御回路１１３の電源スイッチがオンであるかなどに基づいて判断する（ステップＢ１）。電源監視回路１０９は、システム制御部１０７から本体が起動中でないと通知されたときには、電源装置１１０の電圧が規定電圧かどうかを判定する（ステップＢ２）。システム制御部１０７は、電源監視回路１０９から規定電圧であるとの通知を受けた時はステップＢ１に戻る。一方、規定電圧でないとの通知を受けたときは、電源制御回路１０５の電源スイッチをオンとして、電源装置１１２から電源制御回路１０５を通して電源電圧をデジタル処理部１０４に供給させ、その電源電圧を用いて電源監視回路１０９により電源装置１１０の充電を開始させる（ステップＢ３）。電源監視回路１０９は、電源装置１１０の電圧が満充電に達するまで充電を継続し、満充電に達した場合は充電を完了して（ステップＢ４、Ｂ５、Ｂ６）、ステップＢ１に戻る。
【００２６】
一方、電源監視回路１０９は、システム制御部１０７から本体が起動中であると通知されたときには、電源装置１１０の電圧が規定電圧かどうかを判定する（ステップＢ７）。システム制御部１０７は、電源監視回路１０９から規定電圧であるとの通知を受けた時はステップＢ１に戻る。一方、規定電圧でないとの通知を受けたときは、Ｄ／Ａ変換部１０５が起動しているかどうかを判断する（ステップＢ８）。Ｄ／Ａ変換部１０５が起動しているかどうかは、図３のステップＡ１０の状態となっているかどうかにより分かる。
【００２７】
続いて、システム制御部１０７は、ステップＢ８でＤ／Ａ変換部１０５が起動していないと判断したときは、電源制御回路１０５の電源スイッチをオンとして、電源装置１１２から電源制御回路１０５を通して電源電圧をデジタル処理部１０４に供給させ、その電源電圧を用いて電源監視回路１０９により電源装置１１０の充電を開始させる（ステップＢ９）。電源監視回路１０９は、電源装置１１０の電圧が満充電に達するまで充電を継続し、満充電に達した場合は充電を完了して（ステップＢ１０、Ｂ１１、Ｂ１２）、ステップＢ１に戻る。
【００２８】
一方、システム制御部１０７は、ステップＢ８でＤ／Ａ変換部１０５が起動していると判断したときは、ユーザに対して充電が必要なことを促し、更に充電動作の選択及び充電後に手動再生か自動再生かを選択させるメッセージなどを図示しない表示部に表示する（ステップＢ１３）。続いて、システム制御部１０７は、ユーザにより再生中に充電と充電後再生のどちらが選択されたかを判定する（ステップＢ１４）。
【００２９】
再生中に充電が選択された場合は、システム制御部１０７は電源制御回路１０５の電源スイッチをオンとして、電源装置１１２から電源制御回路１０５を通して電源電圧をデジタル処理部１０４に供給させ、その電源電圧を用いて電源監視回路１０９により電源装置１１０の充電を開始させた後（ステップＢ１５）、ステップＢ９の動作に移行する。一方、充電後再生が選択された場合は、ユーザにより充電後自動再生と充電後手動再生のどちらが選択されたかを判定する（ステップＢ１６）。充電後自動再生が選択された場合は、システム制御部１０７はＤ／Ａ変換部１０５によるＤ／Ａ変換動作を行わず、かつ、電源制御回路１０５の電源スイッチをオンとして、電源装置１１２から電源制御回路１０５を通して電源電圧をデジタル処理部１０４に供給させ、その電源電圧を用いて電源監視回路１０９により電源装置１１０の充電を開始させる（ステップＢ１７）。電源監視回路１０９は、電源装置１１０の電圧が満充電に達するまで充電を継続し、満充電に達した場合は充電を完了する（ステップＢ１８、Ｂ１９、Ｂ２０、Ｂ２１）。そして、システム制御部１０７は、電源監視回路１０９から充電完了通知を受けると、Ｄ／Ａ変換部１０６の動作を行わせ、メモリ部１０８からのデジタル音声データのＤ／Ａ変換出力をスピーカ１１４に出力する再生を行わせる（ステップＢ２２）。
【００３０】
一方、ステップＢ１６で充電後手動再生が選択されたと判定した場合も、システム制御部１０７はＤ／Ａ変換部１０５によるＤ／Ａ変換動作を行わず、かつ、電源監視回路１０９を制御して電源装置１１０の充電を開始させる（ステップＢ２３）。その後、電源監視回路１０９は、電源装置１１０の電圧が満充電に達するまで充電を継続し、満充電に達した場合は充電を完了する（ステップＢ２４、Ｂ２５、Ｂ２６、Ｂ２７）。そして、システム制御部１０７は、電源監視回路１０９から充電完了通知を受けると、ユーザに対して充電が完了し再生が可能なことを図示しない表示部などにより通知する（ステップＢ２８）。
【００３１】
このように、本実施の形態では、Ｄ/Ａ変換処理部１０２内においては、メモリ部１０８やシステム制御部１０７などのデジタル処理が行われるデジタル処理部１０４に電源装置（２次電池）１１０を備えることで、Ｄ/Ａ変換部１０６の電源装置１１２と完全に分けるようにしているため、Ｄ/Ａ変換部１０６のみに負荷がかかる電源装置１１２によって、デジタル処理部１０４からの電源ノイズなどの音質低下を完全に防ぎ、デジタル音声データを最良の音質で再生できる。
【００３２】
また、本実施の形態では、デジタル処理部１０４内の電源装置１１０は電源監視回路１０９によって電源装置１１０の電圧を監視し、電源装置１１０の電圧が規定電圧より低い場合（デジタル処理部１０４が動作可能な電圧より低い場合）、Ｄ/Ａ変換部１０６が動作していない場合や待機時に充電動作を行う。ただし、Ｄ/Ａ変換部１０６の起動が必要な場合に充電が必要になる場合は、ユーザの選択によって充電動作の有無を決定し最良の音質が出せるようにする。かかる動作中は、デジタルデータ読込処理部１０１の駆動系の電源を切っているため余計な電力を使わず省電力化を図ることができる。
【００３３】
（第２の実施の形態）
図５は、本発明になるデジタル再生装置の第２の実施の形態のブロック図を示す。同図中、図１と同一構成部分には同一符号を付し、その説明を省略する。図５において、本実施の形態のデジタル再生装置３００は、デジタルデータ読込処理部３０１とＤ／Ａ変換処理部３０２とが別筐体であり、互いに信号線を介して接続されている点に特徴がある。
【００３４】
デジタルデータ読込処理部３０１は電源制御回路３０３を有し、電源プラグ３０８を通してＤ／Ａ変換処理部３０２とは別電源からの商用交流電源電圧が供給されて動作する。デジタルデータ読込処理部３０１とデジタル処理部３０４とは、アイソレータ３１１−１及び３１１−２によって電気的に絶縁された状態で接続されている。デジタルデータ読込処理部３０１は、電源制御回路３０３以外は図２に示した構成である。電源制御回路３０３は、Ｄ／Ａ変換処理部３０２内のシステム制御部１０７からの電源制御信号３０９により、第１の実施の形態と同様に制御される。
【００３５】
Ｄ／Ａ変換処理部３０２は、デジタル処理部３０４、電源制御回路１０５、Ｄ／Ａ変換部１０６、及び電源装置３０５から構成されている。デジタル処理部３０４はＤ／Ａ変換部１０６と電源制御回路１０５とが、アイソレータ１０３−３、１０３−４及び１０３−５によって電気的に絶縁された状態で接続されている。デジタル処理部３０４は、システム制御部１０７、デジタルデータ読込処理部３０１からのデジタルデータを蓄えるメモリ部１０８、電源監視回路１０９及びデジタル処理部３０４の電源装置（２次電池）１１０を有する。すなわち、デジタル処理部３０４は、Ｄ/Ａ変換処理部３０２内のＤ/Ａ変換部１０６の電源装置３０５とは独立している電源装置（２次電池）１１０を有している。デジタル処理部３０４は通常は電源装置１１０からの電源電圧により動作するが、電源装置１１０の充電時にはシステム制御部１０７からの電源制御信号３１０により電源制御回路１０５をオンにして電源装置３０５から電源制御回路１０５を通して入力される商用交流電源電圧に基づいて充電を行う。
【００３６】
本実施の形態のデジタル再生装置３００も第１の実施の形態のデジタル再生装置１００と同様の動作を行うことにより、第１の実施の形態と同様に、デジタルデータ読込処理部３０１の動作を停止させて、デジタルデータの読み出しに起こる外乱を完全に無くしてから、Ｄ/Ａ変換処理部１０２の動作を開始することで、サーボ駆動制御に伴う駆動電流によるノイズの影響を完全に無くすことができる。また、本実施の形態のデジタル再生装置３００によれば、Ｄ/Ａ変換処理部３０２内でも、電源がＤ/Ａ変換部１０６のみの負荷に対応できることにより、デジタルによる影響を完全に無くす事ができ、さらなる高音質化が可能となる。
【００３７】
更に、本実施の形態のデジタル再生装置３００によれば、メモリ部１０８にデジタルデータ読込処理部３０１により光ディスクから読み出された全てのデジタル音声データを保存するようにしているため、機械的な処理によるデータ読み出しに対して、待ち時間を大きく抑えることができ、またデジタルデータ読込処理部３０１におけるスピンドルモータなどの余計な電力を使用しないため、省電力化も実現できる。
【００３８】
（第３の実施の形態）
図６は、本発明になるデジタル再生装置の第３の実施の形態のブロック図を示す。同図中、図１と同一構成部分には同一符号を付し、その説明を省略する。図６において、本実施の形態のデジタル再生装置４００は、デジタルデータ読込処理部４０１とＤ／Ａ変換処理部４０２とが別筐体であり、互いに信号線を介して接続されており、更にデジタルデータ読込処理部４０１内には電源制御回路を有しない点に特徴がある。
【００３９】
デジタルデータ読込処理部４０１は、電源プラグ１１１から電源装置４０４及び電源制御回路４０６を通して商用交流電源電圧が供給されて動作する。デジタルデータ読込処理部４０１は、図２に示した構成である。デジタルデータ読込処理部４０１とデジタル処理部１０４とは、アイソレータ３１１−１及び３１１−２によって電気的に絶縁された状態で接続されている。電源制御回路４０５は、Ｄ／Ａ変換処理部４０３内のシステム制御部１０７からの電源制御信号４０６により、第１の実施の形態と同様に制御される。システム制御部１０７と電源制御回路４０５とは、アイソレータ１０３−６によって電気的に絶縁された状態で接続されている。
【００４０】
Ｄ／Ａ変換処理部４０３は、電源装置４０４及び電源制御回路４０５と共に同一の筐体４０２内に収容されている。Ｄ／Ａ変換処理部４０３は、デジタル処理部１０４、電源制御回路１０５及びＤ／Ａ変換部１０６により構成されている。デジタル処理部１０４はＤ／Ａ変換部１０６及び電源制御回路１０５と、アイソレータ１０３−３、１０３−４及び１０３−５によって電気的に絶縁された状態で接続されている。デジタル処理部１０４は、システム制御部１０７、デジタルデータ読込処理部４０１からのデジタルデータを蓄えるメモリ部１０８、電源監視回路１０９及びデジタル処理部１０４の電源装置（２次電池）１１０を有する。すなわち、デジタル処理部１０４は、Ｄ/Ａ変換部１０６の電源装置４０４とは独立している電源装置（２次電池）１１０を有している。デジタル処理部１０４は通常は電源装置１１０からの電源電圧により動作するが、電源装置１１０の充電時にはシステム制御部１０７からの電源制御信号４０７により電源制御回路１０５をオンにして電源装置４０４から電源制御回路１０５を通して入力される商用交流電源電圧に基づいて充電を行う。
【００４１】
本実施の形態のデジタル再生装置４００も前述したデジタル再生装置１００及び３００と同様の動作を行うことにより、第１、第２の実施の形態と同様に、デジタルデータ読込処理部４０１の動作を停止させて、デジタルデータの読み出しに起こる外乱を完全に無くしてから、Ｄ/Ａ変換処理部４０３の動作を開始することで、サーボ駆動制御に伴う駆動電流によるノイズの影響を完全に無くすことができる。また、本実施の形態のデジタル再生装置４００によれば、Ｄ/Ａ変換処理部４０３内でも、電源がＤ/Ａ変換部１０６のみの負荷に対応できることにより、デジタルによる影響を完全に無くす事ができ、さらなる高音質化が可能となる。
【００４２】
更に、本実施の形態のデジタル再生装置４００によれば、メモリ部１０８にデジタルデータ読込処理部４０１により光ディスクから読み出された全てのデジタル音声データを保存するようにしているため、機械的な処理によるデータ読み出しに対して、待ち時間を大きく抑えることができ、またデジタルデータ読込処理部４０１におけるスピンドルモータなどの余計な電力を使用しないため、省電力化も実現できる。
【００４３】
なお、本発明は以上の実施の形態に限定されるものではなく、例えばＣＤ以外の光ディスクその他の記録媒体のデジタル再生装置にも適用でき、また、再生するデジタルコンテンツはデジタル音声データ以外のデジタルデータにも適用できる。
【符号の説明】
【００４４】
１００、３００、４００  デジタル再生装置
１０１、３０１、４０１  デジタルデータ読込処理部
１０２、３０２、４０３  Ｄ／Ａ変換処理部
１０３−１〜１０３−６、３１１−１、３１１−２  アイソレータ
１０４、３０４  デジタル処理部
１０５、１１３、３０３、４０５  電源制御回路
１０６  Ｄ／Ａ変換部
１０７  システム制御部
１０８  メモリ部
１０９  電源監視回路
１１０  電源装置（２次電池）
１１２、３０５、４０４  電源装置
１１４  スピーカ
１３０、４０２  筐体
２０１  スピンドルモータ
２０２  サーボ回路
２０３  制御用マイコン（マイクロコンピュータ）
２０４  光学ピックアップ
２０７  信号処理回路
２０８  ＣＤ
【図１】
2012133855.tif 000003
【図２】
2012133855.tif 000004
【図３】
2012133855.tif 000005
【図４】
2012133855.tif 000006
【図５】
2012133855.tif 000007
【図６】
2012133855.tif 000008